(57)【要約】【課題】ラッチが設けられる框材よりも操作が容易な位置の框材においてラッチを操作して、障子の開閉操作を容易に行う。【解決手段】建具１は、枠体１０に設けられるラッチ受け４２を備える。ラッチ４１は、第１框材３１に設けられて、ラッチ受け４２に係合する係合位置とラッチ受け４２との係合を解除する解除位置とに移動する。操作部材２は、第２框材３２に設けられて、ラッチ４１が係合位置に配置される第１位置とラッチ４１が解除位置に配置される第２位置とに移動する。連動機構５０は、操作部材２の第１位置から第２位置への移動に連動して、ラッチ４１を係合位置から解除位置に移動させる。【選択図】  図１
2018090966.tif 000002
【特許請求の範囲】
【請求項１】
枠体と、第１框材と第２框材を含む框体が設けられて前記枠体に開閉可能に取り付けられる障子と、を備えた建具であって、
前記枠体に設けられるラッチ受けと、
前記第１框材に設けられて、前記ラッチ受けに係合する係合位置と前記ラッチ受けとの係合を解除する解除位置とに移動するラッチと、
前記第２框材に設けられて、前記ラッチが前記係合位置に配置される第１位置と前記ラッチが前記解除位置に配置される第２位置とに移動する操作部材と、
前記操作部材の前記第１位置から前記第２位置への移動に連動して、前記ラッチを前記係合位置から前記解除位置に移動させる連動機構と、
を備えた建具。
【請求項２】
請求項１に記載された建具において、
前記連動機構は、前記操作部材の移動と連動してスライドするスライド部材と、前記ラッチの移動と連動して変位する変位部材と、を有し、
前記操作部材が前記第１位置から前記第２位置に移動するときに、前記スライド部材がスライドして前記変位部材を変位させ、前記変位部材が前記ラッチを前記係合位置から前記解除位置に移動させる建具。
【請求項３】
請求項２に記載された建具において、
前記変位部材は、前記スライド部材に接触する接触部と、前記ラッチが設けられたラッチ部と、前記接触部と前記ラッチ部の間に位置する回動軸と、を有し、前記回動軸を中心に回動して変位する建具。
【請求項４】
請求項３に記載された建具において、
前記変位部材の重心は、前記回動軸よりも前記接触部側に位置する建具。
【請求項５】
請求項１ないし４のいずれかに記載された建具において、
前記ラッチを前記係合位置に向かって付勢して、前記解除位置から前記係合位置に前記ラッチを移動させる付勢手段を備えた建具。
【請求項６】
請求項１ないし５のいずれかに記載された建具において、
前記操作部材は、前記第１位置から前記第２位置への移動時に、前記障子の開き方向に向かって移動する把持部を有する建具。
【発明の詳細な説明】
【技術分野】
【０００１】
本発明は、枠体と障子を備えた建具に関する。
【背景技術】
【０００２】
建築物の開口部に設置される建具では、障子が枠体に開閉可能に取り付けられて、障子の開閉が操作部材により操作される。また、障子を閉じた状態で枠体にロックするため、ラッチ装置が用いられている。ラッチ装置は、枠体に設けられたラッチ受けと、障子の框体に設けられてラッチ受けに係合するラッチとを有する。ラッチ装置では、障子を開くときに、ラッチとラッチ受けの係合を解除する必要がある。これに対し、従来、操作部材とラッチを障子の上框材に設けて、操作部材を用いてラッチを移動させる内倒し窓が知られている（特許文献１参照）。
【０００３】
ところが、特許文献１に記載された従来の内倒し窓では、ラッチが設けられた上框材において、ラッチが操作部材により操作される。そのため、上框材が操作し難い位置にあるときに、障子の開閉操作を容易に行えないことがある。例えば、上框材が壁の高い位置にあるときには、手を上に伸ばした状態で、操作部材によりラッチを操作する必要がある。特に、操作する人の身長が低いとき、又は、内倒し窓の前に障害物（台、家具等）があるときには、障子の開閉操作がより困難になる。
【先行技術文献】
【特許文献】
【０００４】
【特許文献１】特許第４１５８９７９号公報
【発明の概要】
【発明が解決しようとする課題】
【０００５】
本発明は、前記従来の問題に鑑みなされたもので、その目的は、ラッチが設けられる框材よりも操作が容易な位置の框材においてラッチを操作して、障子の開閉操作を容易に行うことである。
【課題を解決するための手段】
【０００６】
本発明は、枠体と、第１框材と第２框材を含む框体が設けられて前記枠体に開閉可能に取り付けられる障子と、を備えた建具である。建具は、前記枠体に設けられるラッチ受けと、前記第１框材に設けられて、前記ラッチ受けに係合する係合位置と前記ラッチ受けとの係合を解除する解除位置とに移動するラッチと、前記第２框材に設けられて、前記ラッチが前記係合位置に配置される第１位置と前記ラッチが前記解除位置に配置される第２位置とに移動する操作部材と、前記操作部材の前記第１位置から前記第２位置への移動に連動して、前記ラッチを前記係合位置から前記解除位置に移動させる連動機構と、を備える。
【発明の効果】
【０００７】
本発明によれば、ラッチが設けられる框材よりも操作が容易な位置の框材においてラッチを操作して、障子の開閉操作を容易に行うことができる。
【図面の簡単な説明】
【０００８】
【図１】本実施形態の建具の正面図である。
【図２】本実施形態の建具が開くときの状態を示す側面図である。
【図３】枠体、框体、及び、ラッチ装置の断面図である。
【図４】枠体、框体、及び、ラッチ装置の断面図である。
【図５】框体に設けられるラッチ装置と操作部材を示す斜視図である。
【図６】框体に設けられるラッチ装置と操作部材を示す斜視図である。
【図７】第２框材に設けられた操作部材とスライド部材を示す図である。
【図８】操作部材とスライド部材の動作を示す図である。
【図９】第１框材に設けられた変位部材を示す図である。
【図１０】変位部材とラッチの動作を示す図である。
【発明を実施するための形態】
【０００９】
本発明の建具の一実施形態について、図面を参照して説明する。
本実施形態の建具は、開閉機構を備えた開閉窓であり、障子により、枠体の開口部の一部又は全部を開閉する。以下では、建具が内倒し窓である場合を例にとり、建具について説明する。
【００１０】
図１は、本実施形態の建具（内倒し窓）１の正面図であり、室内側からみた建具１の概略構成を示している。また、図１では、建具１の内部構造を点線で示している。図２は、本実施形態の建具１が開くときの状態を示す側面図であり、図１のＸ１方向からみた建具１を模式的に示している。
図示のように、建具１は、建築物の開口部に設置されて、建築物の室外と室内の間に配置される。また、建具１は、枠体１０と、枠体１０に開閉可能に取り付けられる障子２０と、障子２０を枠体１０にロックするラッチ装置４０と、障子２０とラッチ装置４０を操作する操作部材２を備えている。
【００１１】
枠体１０は、建具１の方形状の開口枠（窓枠）であり、建築物の開口縁部（開口部の縁部）に取り付けられる。また、枠体１０は、枠組みされた４つの枠材１１〜１４（第１枠材１１、第２枠材１２、第３枠材１３、第４枠材１４）を有する。４つの枠材１１〜１４は、端部同士が順に接続された状態で、建築物の開口縁部に沿って配置される。枠体１０が建築物の開口部に設置されて、障子２０が枠体１０の開口部１５に配置される。
【００１２】
第１枠材１１は上枠材であり、第２枠材１２は一方の縦枠材である。第３枠材１３は下枠材であり、第４枠材１４は他方の縦枠材である。隣り合う２つの枠材１１〜１４は、接続された端部から互いに異なる方向に向かって配置される。その状態で、第１枠材１１と第３枠材１３は対向して配置され、第２枠材１２と第４枠材１４は対向して配置される。
【００１３】
障子２０は、方形状の開閉体（内倒し障子）であり、方形状の框体３０と、框体３０に取り付けられた方形状のパネル体２１を有する。框体３０は、枠組みされた４つの框材３１〜３４（第１框材３１、第２框材３２、第３框材３３、第４框材３４）を有し、パネル体２１の縁部に沿って配置される。４つの框材３１〜３４は、端部同士が順に接続された状態で、互いに異なる障子２０の縁部２２〜２５（第１縁部２２、第２縁部２３、第３縁部２４、第４縁部２５）に配置される。パネル体２１は、例えば、框体３０に嵌め込まれたガラス板であり、框体３０の開口部３５に配置されて、框体３０により保持される。
【００１４】
第１框材３１は上框材であり、第２框材３２は一方の縦框材である。第３框材３３は下框材であり、第４框材３４は他方の縦框材である。隣り合う２つ框材３１〜３４は、接続された端部から互いに異なる方向に向かって配置される。その状態で、第１框材３１と第３框材３３は対向して配置され、第２框材３２と第４框材３４は対向して配置される。また、障子２０が閉じた状態で、４つの框材３１〜３４は、互いに異なる枠体１０の枠材１１〜１４に沿って配置される。
【００１５】
障子２０は、枠体１０に回動可能に支持され、開き方向Ｈと閉じ方向Ｔに移動（回動）して開閉する。障子２０の開き方向Ｈは、枠体１０に対して障子２０が開くときの障子２０の移動方向（回動方向）であり、障子２０の閉じ方向Ｔは、枠体１０に対して障子２０が閉じるときの障子２０の移動方向である。ここでは、障子２０は、室内側と枠体１０側に回動して開閉する。障子２０の開閉時には、第３框材３３が枠体１０の内側に保持された状態で、第１框材３１が、第３框材３３を中心に、開き方向Ｈと閉じ方向Ｔに移動する。
【００１６】
障子２０には、第１框材３１と第２框材３２を含む框体３０が設けられる。第１框材３１は、障子２０の第１縁部２２（上縁部）に配置され、第２框材３２は、障子２０の第２縁部２３（一方の縦縁部）に配置される。ラッチ装置４０は、第１框材３１、第２框材３２、及び、枠体１０に設けられ、操作部材２は、第２框材３２に設けられる。ラッチ装置４０は、障子２０を枠体１０に連結して、障子２０を閉じた状態に維持するとともに、障子２０を開くときに、障子２０の枠体１０への連結を解除する。操作部材２により、ラッチ装置４０が操作されて、障子２０の開閉が操作される。
【００１７】
ラッチ装置４０は、移動可能なラッチ４１と、ラッチ４１を受けるラッチ受け４２と、框体３０に設けられて操作部材２とラッチ４１を連動させる連動機構５０を有する。ラッチ４１は、障子２０の第１框材３１に設けられ、ラッチ受け４２は、枠体１０に設けられる。枠体１０において、ラッチ受け４２は、第１框材３１に並列する第１枠材１１に設けられて、ラッチ４１に対向する位置に配置される。連動機構５０は、第１框材３１と第２框材３２に設けられて、第１框材３１と第２框材３２に沿って配置される。
【００１８】
図３、図４は、枠体１０、框体３０、及び、ラッチ装置４０の断面図であり、図１のＸ２−Ｘ２線で切断した建具１を示している。図３は、枠体１０に障子２０をロックした状態を示し、図４は、障子２０のロックを解除した状態を示す。
図示のように、ラッチ４１は、ラッチ受け４２に向かって突出する係合部材であり、ラッチ受け４２は、ラッチ４１と係合してラッチ４１を保持する保持部材である。障子２０が閉じた状態で、ラッチ４１とラッチ受け４２が対向して配置されて、ラッチ４１がラッチ受け４２に接近する方向とラッチ受け４２から離間する方向とに移動する。
【００１９】
ラッチ４１は、ラッチ受け４２に係合する係合位置Ｋ１（図３参照）と、ラッチ受け４２との係合を解除する解除位置Ｋ２（非係合位置）（図４参照）とに移動して、係合位置Ｋ１と解除位置Ｋ２に配置される。係合位置Ｋ１において、ラッチ４１は、框体３０の第１框材３１を枠体１０の第１枠材１１に連結して、障子２０をロックする。解除位置Ｋ２において、ラッチ４１は、第１框材３１の第１枠材１１への連結を解除して、障子２０のロックを解除する。これにより、框体３０の第１框材３１が枠体１０の第１枠材１１から解放されて、障子２０の開き方向Ｈへの移動が可能になる。
【００２０】
ラッチ４１は、ラッチ装置４０の付勢手段４３により、係合位置Ｋ１に向かって付勢されている。付勢手段４３は、付勢部材４３Ａと、付勢部材４３Ａを保持する保持ピン４３Ｂを有し、付勢部材４３Ａにより、ラッチ４１を常に付勢する。付勢部材４３Ａは、弾性部材（例えば、ばね、ゴム）であり、ラッチ４１に形成された凹部４１Ａ内に配置される。ここでは、付勢部材４３Ａは、コイル状のばね（圧縮コイルばね）であり、保持ピン４３Ｂの周囲に配置される。
【００２１】
ラッチ４１が係合位置Ｋ１から解除位置Ｋ２に移動するときに、付勢部材４３Ａが圧縮されて、付勢部材４３Ａと保持ピン４３Ｂがラッチ４１の凹部４１Ａ内に収容される。付勢手段４３（付勢部材４３Ａ）の付勢により、ラッチ４１は、解除位置Ｋ２から係合位置Ｋ１に移動して、係合位置Ｋ１に配置される。
【００２２】
ラッチ受け４２は、ラッチ４１に向かって突出する突出部４２Ａを有し、取付部材（ここでは、ねじ）により、枠体１０の第１枠材１１に取り付けられる。障子２０が閉じた状態で、ラッチ受け４２は、ラッチ４１の上方に配置される。また、ラッチ４１は、係合位置Ｋ１に配置されて、ラッチ受け４２の突出部４２Ａに引っ掛かる。これにより、ラッチ４１は、ラッチ受け４２に係合して、障子２０を閉じた状態に維持する。
【００２３】
障子２０を開くときには、ラッチ４１は、係合位置Ｋ１から解除位置Ｋ２に移動して、ラッチ受け４２から外れる。その状態で、障子２０が開き方向Ｈに移動して、障子２０が開く。障子２０の移動が開始した後、ラッチ４１は、付勢手段４３の付勢により、解除位置Ｋ２から係合位置Ｋ１に移動する。障子２０を閉じるときには、障子２０が閉じ方向Ｔに移動して、係合位置Ｋ１のラッチ４１がラッチ受け４２に接触する。その際、ラッチ４１の傾斜部４１Ｂがラッチ受け４２の突出部４２Ａに接触する。
【００２４】
ラッチ４１の傾斜部４１Ｂは、障子２０の閉じ方向Ｔ、及び、付勢手段４３によるラッチ４１の付勢方向に対して傾斜する。障子２０が閉じられるのに伴い、ラッチ４１の傾斜部４１Ｂがラッチ受け４２の突出部４２Ａにより押されて、ラッチ４１が係合位置Ｋ１から解除位置Ｋ２に向かって移動する。障子２０が閉じられたときに、ラッチ４１は、ラッチ受け４２に係合可能な位置まで移動して、ラッチ受け４２の突出部４２Ａから外れる。同時に、付勢手段４３の付勢により、ラッチ４１は、係合位置Ｋ１に移動して、ラッチ受け４２に係合する。
【００２５】
図５、図６は、框体３０に設けられるラッチ装置４０と操作部材２を示す斜視図である。図５は、ラッチ４１が係合位置Ｋ１に配置された状態を示し、図６は、ラッチ４１が解除位置Ｋ２に配置された状態を示す。
図示のように、ラッチ装置４０の連動機構５０は、操作部材２の移動をラッチ４１に伝達してラッチ４１を移動させる伝達機構である。操作部材２とラッチ４１は、互いに異なる障子２０の框材（第１框材３１、第２框材３２）に設けられて、連動機構５０により連動して移動する。また、操作部材２により、ラッチ４１の移動が操作される。操作部材２は、移動に伴い、連動機構５０を作動させて、ラッチ４１を解除位置Ｋ２に移動させる。
【００２６】
連動機構５０は、操作部材２の移動と連動してスライドするスライド部材５１と、ラッチ４１の移動と連動して変位する変位部材５２と、変位部材５２をガイドするガイド部材５３を有する。スライド部材５１は、細長いロッド状部材であり、第２框材３２の長手方向に沿って配置される。スライド部材５１の一端部は、操作部材２に連結される連結部５１Ａであり、スライド部材５１の他端部は、変位部材５２に接触する接触部５１Ｂである。スライド部材５１は、第２框材３２にスライド可能に配置されて、操作部材２の移動に伴い、第２框材３２の長手方向にスライドする（矢印Ｓ参照）。
【００２７】
図７は、第２框材３２に設けられた操作部材２とスライド部材５１を示す図であり、図５のＸ３−Ｘ３線で切断したスライド部材５１と第２框材３２を示している。
図示のように、第２框材３２は、枠体１０の第２枠材１２に対向する部分に形成されたガイド溝３２Ａを有する。ガイド溝３２Ａは、第２框材３２の長手方向に連続して形成されて、スライド部材５１を収容する。スライド部材５１は、ガイド溝３２Ａによりガイドされて、ガイド溝３２Ａに沿ってスライドする。
【００２８】
操作部材２は、第２框材３２に移動可能に連結されるとともに、連結ピン５１Ｃにより、スライド部材５１に回動可能に連結される。また、操作部材２は、第２框材３２とスライド部材５１に回動可能に連結されるリンク部２Ａを有する。リンク部２Ａは、第２框材３２に形成された開口部を貫通する連結突部であり、連結ピン５１Ｃにより、スライド部材５１の連結部５１Ａに連結される。
【００２９】
図８は、操作部材２とスライド部材５１の動作を示す図であり、図５、図６の矢印Ｘ４方向からみた操作部材２とラッチ装置４０を示している。
図示のように、操作部材２は、回動可能な操作レバーであり、ラッチ４１と障子２０の操作時に把持される把持部２Ｂを有する。操作部材２のリンク部２Ａは、把持部２Ｂからスライド部材５１に向かって突出し、把持部２Ｂとスライド部材５１の連結部５１Ａ（連結ピン５１Ｃ）の間の中間位置で、支持部材３６に取り付けられる。支持部材３６は、第２框材３２に固定されて、支持軸３６Ａにより、操作部材２のリンク部２Ａを回動可能に支持する。
【００３０】
操作部材２は、支持軸３６Ａを中心に回動して、第１位置Ｐ１（図８Ａ参照）と第２位置Ｐ２（図８Ｂ参照）とに移動する（矢印Ｇ参照）。第１位置Ｐ１は、ラッチ４１が係合位置Ｋ１に配置されて障子２０がロックされるロック位置であり、第２位置Ｐ２は、ラッチ４１が解除位置Ｋ２に配置されて障子２０のロックが解除される非ロック位置である。障子２０を開くときに、把持部２Ｂを移動させて、操作部材２を第１位置Ｐ１から第２位置Ｐ２に移動させる。連動機構５０は、操作部材２の第１位置Ｐ１から第２位置Ｐ２への移動に連動して、ラッチ４１を係合位置Ｋ１から解除位置Ｋ２に移動させる。
【００３１】
操作部材２の把持部２Ｂは、操作部材２の第１位置Ｐ１から第２位置Ｐ２への移動時に、障子２０の開き方向Ｈに向かって移動し、操作部材２の第２位置Ｐ２から第１位置Ｐ１への移動時に、障子２０の閉じ方向Ｔに向かって移動する。把持部２Ｂの移動と同時に、操作部材２のリンク部２Ａが回動する。
【００３２】
第１位置Ｐ１から第２位置Ｐ２への移動に伴い、操作部材２は、回動するリンク部２Ａにより、連結ピン５１Ｃ及びスライド部材５１の連結部５１Ａを変位部材５２に向かって押す。操作部材２から受ける力により、スライド部材５１は、変位部材５２に向かってスライドして、変位部材５２に接触する。また、スライド部材５１は、接触部５１Ｂで変位部材５２を押して、変位部材５２を変位させる。その際、スライド部材５１は、上方に向かって押されて、上方にスライドする。
【００３３】
操作部材２は、付勢手段（例えば、ねじりコイルばね）により、第１位置Ｐ１に向かって付勢されている。付勢手段の付勢により、操作部材２は、第２位置Ｐ２から第１位置Ｐ１に移動して、第１位置Ｐ１に配置される。第２位置Ｐ２から第１位置Ｐ１への移動に伴い、操作部材２は、回動するリンク部２Ａにより、連結ピン５１Ｃ及びスライド部材５１の連結部５１Ａを引っ張る。操作部材２から受ける力により、スライド部材５１は、変位部材５２から離間する方向にスライドして、変位部材５２から離間する。その際、スライド部材５１は、下方に向かって引っ張られて、下方にスライドする。また、重力により、スライド部材５１の下方へのスライドが補助される。
【００３４】
変位部材５２（図５、図６参照）は、第１框材３１に変位可能に連結され、スライド部材５１のスライドに連動して変位する（矢印Ｒ参照）。また、変位部材５２は、細長いロッド状部材であり、第１框材３１の長手方向に沿って配置される。変位部材５２の一端部は、ラッチ４１が設けられたラッチ部５２Ａであり、ラッチ４１と一体に移動する。変位部材５２の他端部は、スライド部材５１に接触する接触部５２Ｂである。スライド部材５１の接触部５１Ｂと変位部材５２の接触部５２Ｂが接触して、スライド部材５１と変位部材５２が連動する。
【００３５】
変位部材５２は、ラッチ部５２Ａと接触部５２Ｂの間に位置する回動軸５２Ｃを有し、回動軸５２Ｃを中心に回動（揺動）して変位する。従って、変位部材５２は、回動部材（揺動部材）である。変位部材５２の回動変位により、ラッチ部５２Ａと接触部５２Ｂが変位部材５２の変位方向（回動方向）に移動する。
【００３６】
図９は、第１框材３１に設けられた変位部材５２を示す図であり、図５の矢印Ｘ５−Ｘ５線で切断した変位部材５２と第１框材３１を示している。
図示のように、第１框材３１は、枠体１０の第１枠材１１に対向する部分に形成された収容溝３１Ａを有する。収容溝３１Ａは、第１框材３１の長手方向に連続して形成されて、変位部材５２を収容する。変位部材５２の回動軸５２Ｃは、軸受部材５２Ｄに回動可能に支持される。軸受部材５２Ａは、収容溝３１Ａ内に配置されて、第１框材３１に固定される。変位部材５２は、収容溝５２Ａ内で回動により変位して、ラッチ４１を移動させる。
【００３７】
図１０は、変位部材５２とラッチ４１の動作を示す図であり、図５、図６の矢印Ｘ６方向からみたラッチ装置４０を示している。また、図１０は、スライド部材５１の接触部５１Ｂ側の一部を示している。
図示のように、ガイド部材５３は、第１框材３１に設けられて、変位部材５２のラッチ部５２Ａ及びラッチ４１に隣接する。ガイド部材５３は、変位部材５２に向かって開口するガイド溝５３Ａを有し、変位部材５２は、ガイド溝５３Ａ内に配置された突起５２Ｅを有する。突起５２Ｅは、ラッチ部５２Ａに形成されて、ガイド溝５３Ａによりガイドされる。ガイド部材５３は、ガイド溝５３Ａにより、変位部材５２を変位方向にガイドする。
【００３８】
変位部材５２は、接触部５２Ｂに形成された突片５２Ｆを有する。突片５２Ｆは、スライド部材５１の接触部５１Ｂをガイド可能なガイド部であり、接触部５２Ｂからスライド部材５１側に向かって突出する。突片５２Ｆは、スライド部材５１の接触部５１Ｂに隣接して配置される。突片５２Ｆにより、スライド部材５１の接触部５１Ｂは、変位部材５２の接触部５２Ｂに接触可能な位置に維持される。
【００３９】
変位部材５２の突片５２Ｆとスライド部材５１の接触部５１Ｂが対面する状態で、スライド部材５１がスライドして、スライド部材５１の接触部５１Ｂが突片５２Ｆに沿って移動する。スライド部材５１のスライド方向が突片５２Ｆ側にずれたときには、スライド部材５１の接触部５１Ｂが突片５２Ｆに接触することがある。この場合には、スライド部材５１の接触部５１Ｂは、突片５２Ｆにより、変位部材５２の接触部５２Ｂにガイドされて、変位部材５２の接触部５２Ｂに接触する。
【００４０】
操作部材２が第１位置Ｐ１から第２位置Ｐ２に移動するときに、スライド部材５１がスライドして変位部材５２を変位させ、変位部材５２がラッチ４１を係合位置Ｋ１（図１０Ａ参照）から解除位置Ｋ２（図１０Ｂ参照）に移動させる。その際、スライド部材５１のスライドに伴い、スライド部材５１の接触部５１Ｂが変位部材５２の接触部５２Ｂに接触する。
【００４１】
変位部材５２の接触部５２Ｂは、スライド部材５１の接触部５１Ｂにより、スライド部材５１のスライド方向（ここでは、上方）に押されて、スライド方向に移動する。これにより、変位部材５２が回動して変位し、変位部材５２のラッチ部５２Ａがスライド方向の反対方向（ここでは、下方）に移動する。変位部材５２は、ラッチ部５２Ａとともにラッチ４１を変位方向に移動させることで、ラッチ４１を係合位置Ｋ１から解除位置Ｋ２に移動させる。
【００４２】
操作部材２が第２位置Ｐ２から第１位置Ｐ１に移動するときには、スライド部材５１が下方にスライドして変位部材５２から離間する。同時に、付勢手段４３の付勢により、ラッチ４１が、解除位置Ｋ２から係合位置Ｋ１に移動する。また、変位部材５２が回動して変位し、変位部材５２の接触部５２Ｂが下方に移動する。操作部材２が第１位置Ｐ１に配置された状態で、スライド部材５１の接触部５１Ｂと変位部材５２の接触部５２Ｂは接触せず、２つの接触部５１Ｂ、５２Ｂの間に隙間５４が形成される。
【００４３】
障子２０を開くときには（図５、図６参照）、操作部材２の把持部２Ｂを障子２０の開き方向Ｈに引っ張り、開き方向Ｈに向かって把持部２Ｂを移動させる。これに伴い、操作部材２が第１位置Ｐ１から第２位置Ｐ２に移動する。操作部材２の移動に連動して、連動機構５０がラッチ４１を解除位置Ｋ２に移動させて、ラッチ４１とラッチ受け４２の係合が解除される。これにより、ラッチ４１がラッチ受け４２から外れて、障子２０のロックが解除される。続いて、操作部材２の把持部２Ｂを障子２０の開き方向Ｈに引っ張る。
【００４４】
障子２０は、操作部材２により開き方向Ｈ（室内側）に引っ張られて、開き方向Ｈに移動する。続いて、障子２０は、室内側に向かって倒れるように移動して開く。障子２０の開度は、例えば、開度規制装置により規制される。障子２０は、所定の開度で開いた状態に配置される。障子２０の移動が開始した後、操作部材２が第２位置Ｐ２から第１位置Ｐ１に移動し、ラッチ４１が解除位置Ｋ２から係合位置Ｋ１に移動する。
【００４５】
障子２０を閉じるときには、操作部材２の把持部２Ｂを障子２０の閉じ方向Ｔ（枠体１０側）に押す。障子２０は、操作部材２により閉じ方向Ｔに押されて、閉じ方向Ｔに移動する。続いて、障子２０は、枠体１０まで移動して閉じる。その際、ラッチ４１は、ラッチ受け４２により押されて、解除位置Ｋ２に向かって移動する。障子２０が閉じたときに、ラッチ４１が係合位置Ｋ１に移動してラッチ受け４２に係合し、ラッチ４１により、障子２０が閉じられた状態でロックされる。
【００４６】
以上説明した建具１では、ラッチ４１と操作部材２を、互いに異なる框材（第１框材３１、第２框材３２）に設けて、互いに異なる障子２０の縁部（第１縁部２２、第２縁部２３）に配置する。ここでは、第１框材３１は、ラッチ４１が設けられた上框材であり、第２框材３２は、操作部材２が設けられた縦框材である。そのため、第１框材３１よりも低い位置で、操作部材２によりラッチ４１を容易に操作することができる。このように、ラッチ４１が設けられる第１框材３１よりも操作が容易な位置の第２框材３２においてラッチ４１を操作して、障子２０の開閉操作を容易に行うことができる。
【００４７】
障子２０を開くときには、操作部材２の把持部２Ｂを障子２０の開き方向Ｈに向かって移動させて、ラッチ４１を解除位置Ｋ２に移動させる。そのため、ラッチ４１とラッチ受け４２の係合の解除に続けて、操作部材２により障子２０を開き方向Ｈに円滑に移動させることができる。これに伴い、障子２０を開くときの動作が簡単になり、障子２０を容易かつ円滑に開くことができる。また、障子２０を閉じるだけで、ラッチ４１をラッチ受け４２に係合させて、障子２０をロックすることができる。
【００４８】
連動機構５０は、スライド部材５１と変位部材５２の２つの部材により、ラッチ４１を操作部材２に連動させる。そのため、連動機構５０の構造が複雑になるのを抑制しつつ、ラッチ４１を操作部材２に確実に連動させることができる。スライド部材５１と変位部材５２を框体３０の溝（ガイド溝３２Ａ、収容溝３１Ａ）に収容することで、障子２０の外観を向上させることができる。ガイド部材５３のガイドにより、変位部材５２を正確に変位させて、ラッチ４１の移動を安定させることができる。
【００４９】
変位部材５２が回動軸５２Ｃを中心に回動する回動部材であるため、ラッチ部５２Ａに設けられたラッチ４１を正確に移動させることができる。ラッチ４１とスライド部材５１の距離を長くしても、変位部材５２の回動変位により、ラッチ４１を確実に移動させることができる。変位部材５２の長さ（ラッチ部５２Ａと接触部５２Ｂの間の距離）を変更することで、ラッチ４１の位置の変更に容易に対応できるとともに、様々な長さの第１框材３１にラッチ４１を設けることができる。
【００５０】
変位部材５２の重心は、回動軸５２Ｃの軸心に一致していてもよく、回動軸５２Ｃの軸心からずれていてもよい。これに対し、変位部材５２の重心は、回動軸５２Ｃよりもラッチ部５２Ａ側に位置していてもよく、回動軸５２Ｃよりも接触部５２Ｂ側に位置していてもよい。変位部材５２の重心が回動軸５２Ｃよりも接触部５２Ｂ側に位置するときには、ラッチ４１と変位部材５２のバランスを調整して、ラッチ４１を解除位置Ｋ２から係合位置Ｋ１に容易に移動させることができる。また、変位部材５２の接触部５２Ｂが重力により下方に移動するときには、接触部５２Ｂを移動させる重力により、ラッチ４１を係合位置Ｋ１に向かって付勢することができる。このように変位部材５２の重心を利用することで、ラッチ４１を係合位置Ｋ１に簡単に移動（復帰）させることができる。変位部材５２の重心を回動軸５２Ｃと接触部５２Ｂの間に位置させて、ラッチ４１の付勢力を調整する。
【００５１】
付勢手段４３を利用することで、ラッチ４１を係合位置Ｋ１に確実に移動（復帰）させることができる。また、付勢手段４３の付勢により、ラッチ４１をラッチ受け４２に係合した状態に確実に維持することができる。ラッチ４１の移動時には、変位部材５２の重心を利用することで、ラッチ４１の移動を補助することができる。これに対し、ラッチ４１の係合位置Ｋ１への移動に、付勢手段４３と変位部材５２の重心の少なくとも一方を利用するようにしてもよい。即ち、付勢手段４３と変位部材５２の重心を共に利用してもよく、付勢手段４３のみ、又は、変位部材５２の重心のみを利用してもよい。
【００５２】
なお、ラッチ４１は、変位部材５２のラッチ部５２Ａに一体に形成してもよい。また、ラッチ４１は、変位部材５２とは別の部材であってもよい。この場合には、ラッチ４１は、変位部材５２のラッチ部５２Ａに取り付けられて、変位部材５２により保持される。
【００５３】
ここでは、ラッチ４１を上框材に設け、操作部材２を縦框材に設けている。これに対し、障子２０の開き方等に対応して、ラッチ４１を縦框材、又は、下框材に設けるようにしてもよい。この場合には、第１框材３１は、縦框材、又は、下框材である。操作部材２は、第１框材３１とは異なる第２框材３２（上框材、下框材、又は、縦框材）に設けられる。建具１の設置条件（例えば、第１框材３１と他の框材３２〜３４の位置）に基づいて、第１框材３１よりも操作が容易な位置の框材が第２框材３２として設定される。第１框材３１と第２框材３２は、端部同士が接続された框材であってもよく、互いに対向する框材であってもよい。
【００５４】
以上、本発明を内倒し窓に適用した例について説明したが、本発明を外倒し窓に適用してもよい。また、本発明は、枠体１０と障子２０を備えた種々の建具（窓、ドア等）に適用することができる。
【符号の説明】
【００５５】
１・・・建具、２・・・操作部材、１０・・・枠体、１１・・・第１枠材、１２・・・第２枠材、１３・・・第３枠材、１４・・・第４枠材、１５・・・開口部、２０・・・障子、２１・・・パネル体、２２・・・第１縁部、２３・・・第２縁部、２４・・・第３縁部、２５・・・第４縁部、３０・・・框体、３１・・・第１框材、３２・・・第２框材、３３・・・第３框材、３４・・・第４框材、３５・・・開口部、３６・・・支持部材、４０・・・ラッチ装置、４１・・・ラッチ、４２・・・ラッチ受け、４３・・・付勢手段、５０・・・連動機構、５１・・・スライド部材、５２・・・変位部材、５３・・・ガイド部材、５４・・・隙間。
【図１】
2018090966.tif 000003
【図２】
2018090966.tif 000004
【図３】
2018090966.tif 000005
【図４】
2018090966.tif 000006
【図５】
2018090966.tif 000007
【図６】
2018090966.tif 000008
【図７】
2018090966.tif 000009
【図８】
2018090966.tif 000010
【図９】
2018090966.tif 000011
【図１０】
2018090966.tif 000012